(57)【要約】【課題】  ビルの窓ガラスの表面を、方立ぎわ（又は無目ぎわ）まで確実にクリーニングできると共に、水ダレも防止し得る窓ガラス外面洗浄装置を提供する。【解決手段】  ワイパーホルダ（１５）を、窓ガラス（２）の表面に対して略直角方向に変位可能なよう保持し、当該ワイパーホルダ（１５）によって軸支されるガイドローラ（５６）を、方立（４）に設けたガイドレール（４２）上を回転走行するよう構成すると共に、ワイパーブレード（１４）の幅を、方立（４）の側辺近くまで達する充分な幅とし、更に、ワイパーブレード（１４）が無目（５）を乗り越し得るようにするため、ガイドローラ（５６）の軌道上で無目に対応する位置に、無目の断面に適合する断面形状を有するリフティングブロック（４３）を設けたこと、を特徴とする。【選択図】  図２
2005318906.tif 000002
【特許請求の範囲】
【請求項１】
ビル（１）の外面（３）に対向するよう設置される窓ガラス外面洗浄装置であって、
洗浄すべき窓ガラス（２）の外面に対向するよう、方立（４）と略平行に配置される案内レールユニット（６）と、
駆動モータ（４５）により上記案内レールユニット（６）に沿って上下方向に移動せしめられる少なくとも１機の台車機構（１９）と、
窓ガラス（２）の表面に向けて洗浄液を噴射する複数のスプレーノズル（３１）を備えた洗浄液ライン（４６）と、
上記台車機構（１９）上に設けられるワイパーホルダ（１５）であって、窓ガラス（２）の表面を払拭するワイパーブレード（１４）を有するワイパーホルダ（１５）と、
を備えた窓ガラス外面洗浄装置において；
上記ワイパーホルダ（１５）を、窓ガラス（２）の表面に対して略直角方向に変位可能なよう上記台車機構（１９）上に取り付け、
ワイパーホルダ（１５）に直接的又は間接的に軸支されるガイドローラ（５６）であって、方立（４）に設けたガイドレール（４２）の外面上を上記台車機構（１９）の上下移動に伴って回転走行せしめられるガイドローラ（５６）を設けると共に、
ワイパーブレード（１４）の幅を、方立（４）の側辺近くまで達する充分な幅とし、更に、
ワイパーブレード（１４）が無目（５）を乗り越し得るようにするため、ガイドローラ（５６）の軌道上で無目に対応する位置に、無目の断面に適合する断面形状を有するリフティングブロック（４３）を設け、ガイドローラ（５６）がリフティングブロック（４３）上を乗り越える際に、当該ガイドローラ（５６）が窓ガラスから開離する方向へ移動するのに追従して、ワイパーホルダ（１５）も窓ガラスから開離する方向へ変位し、これにより、ワイパーブレード（１４）の先端が無目（５）の表面に接触しつつ無目を乗り越すよう構成したこと、
を特徴とする上記のビルの窓ガラス外面洗浄装置。
【請求項２】
ビル（１）の外面（３）に対向するよう設置される窓ガラス外面洗浄装置であって、
洗浄すべき窓ガラス（２）の外面に対向するよう、無目（５）と略平行に配置される案内レールユニットと、
駆動モータにより上記案内レールユニットに沿って水平方向に移動せしめられる少なくとも１機の台車機構（１９）と、
窓ガラス（２）の表面に向けて洗浄液を噴射する複数のスプレーノズル（３１）を備えた洗浄液ライン（４６）と、
上記台車機構（１９）上に設けられるワイパーホルダ（１５）であって、窓ガラス（２）の表面を払拭するワイパーブレード（１４）を有するワイパーホルダ（１５）と、
を備えた窓ガラス外面洗浄装置において；
上記ワイパーホルダ（１５）を、窓ガラス（２）の表面に対して略直角方向に変位可能なよう上記台車機構（１９）上に取り付け、
ワイパーホルダ（１５）に直接的又は間接的に軸支されるガイドローラであって、無目（５）に設けたガイドレールの外面上を上記台車機構（１９）の水平移動に伴って回転走行せしめられるガイドローラを設けると共に、
ワイパーブレード（１４）の幅を、無目（５）の側辺近くまで達する充分な幅とし、更に、
ワイパーブレード（１４）が方立（４）を乗り越し得るようにするため、ガイドローラの軌道上で方立に対応する位置に、方立の断面に適合する断面形状を有するリフティングブロックを設け、ガイドローラがリフティングブロック上を乗り越える際に、当該ガイドローラが窓ガラスから開離する方向へ移動するのに追従して、ワイパーホルダ（１５）も窓ガラスから開離する方向へ変位し、これにより、ワイパーブレード（１４）の先端が方立（４）の表面に接触しつつ方立を乗り越すよう構成したこと、
を特徴とする上記のビルの窓ガラス外面洗浄装置。
【発明の詳細な説明】
【技術分野】
【０００１】
本発明は、ビルの窓ガラス外面洗浄装置に関し、特に、特表２００３−５１６７９２号公報において開示されている自動洗浄装置の改良に関するものである。
より具体的には、隣接する窓ガラス間の境目に設けられる縦向き又は横向きの桟［縦向きの桟を一般に「方立（ほうだて）」と称し、横向きの桟を一般に「無目（むめ）」と称する。］の位置までガラスを確実に洗浄できると共に、「方立」ぎわ部分又は「無目」ぎわ部分からの水ダレ（水垂れ）を防止し得るように構成した窓ガラス外面の自動洗浄装置に関するものである。
【背景技術】
【０００２】
窓ガラスの外面を自動的に洗浄する装置は、これまでにも多く提案されており、その一例として下記特許文献１に記載のものを挙げることができる。
【０００３】
【特許文献１】特表２００３−５１６７９２号公報（特願２００１−５４４５５９）
【０００４】
上記特許文献１において開示されている洗浄装置の概要を図４及び図５を参照しつつ説明する。
図４は、特許文献１において開示されている窓ガラス外面洗浄装置の全体構成を示す説明図であり、図５は、そのような従来公知の窓ガラス外面洗浄装置のワイパーブレードの取付け部分とその作用を示す水平断面図である。
当該洗浄装置は、図４に示す如く、ビル１の外面３に対向するよう設置され、大別して、洗浄すべき窓ガラス２の外面に対向するよう配置される縦方向又は横方向に延びる案内レールユニット６と、駆動モータ４５により上記案内レールユニット６に沿って移動せしめられる少なくとも１機の台車機構１９と、窓ガラス２の表面に向けて洗浄液を噴射する複数のスプレーノズル３１を備えた洗浄液ライン４６と、窓ガラス２の表面を払拭するワイパーブレード１４（図５）が取り付けられたワイパーハウジング１２（図５）であって、上記台車機構１９上に搭載され、ガイドローラ５６（図５）によって、隣接する窓ガラスの辺縁同士を互いに連結する縦の桟（方立）４又は横の桟（無目）５に沿って案内されるワイパーハウジング１２（図５）と、から構成されている。
【０００５】
ここで、台車機構１９が縦の桟（方立）４に沿って昇降する場合について説明すれば、台車機構１９は、駆動モータ４５によって回転せしめられる上側のスプロケット４４ａと、回転自在な下側のスプロケット４４ｂとの間に巻き掛けられたチェーンベルトもしくは歯形付きベルトに取り付けられ、駆動モータ４５を正逆回転させることにより台車機構１９が案内レールユニット６に沿って矢符１１で示す如く昇降するようになっている。
台車機構１９には、窓ガラスの外面に接触してこれを洗浄するワイパーブレード１４（図５）を取り付けたワイパーハウジング１２（図５）を備えたワイパーユニットが搭載されている。
窓ガラスの洗浄時には、バルブ４７を開き、スプレーノズル３１から水を窓ガラス２に噴き付けながら、台車機構１９を昇降させ、ワイパーブレード１４を窓ガラス２の表面上で摺動、移動させることにより、窓ガラスの表面が洗浄されるものである。
【０００６】
上記の如き特表２００３−５１６７９２号公報に記載の洗浄装置の問題点を、図５を参照しつつ、以下に説明する。なお、台車機構１９を方立４に沿って縦方向（上下方向）に移動させながら洗浄する場合と、無目５に沿って横方向（水平方向）に移動させながら洗浄する場合とがあり、ここでは、方立４に沿って縦方向に移動させながら洗浄する場合について説明するが、横方向に移動させながら洗浄する場合においても同様の問題がある。
前記のようにワイパーブレード１４が窓ガラス２の表面に接触した状態で上下動して窓ガラス２の表面を洗浄する際、台車機構１９及びワイパーハウジング１２は、ガイドローラ５６によって前記方立４に沿って案内されるものであるが、
ガイドローラ５６は、図5に示す如く、窓ガラス2の外面上で方立４の側辺から若干の幅Ｗを隔てた位置において、方立４に沿って上下に回転移動するようになっている。そのため、方立４から上記幅Ｗの区間にワイパーブレード１４を設けることはできず、この幅Ｗの領域の窓ガラス２の表面は、拭けない部分となって汚れたまま残るという問題があった。また当該領域の水をぬぐい取ることができず、水ダレの原因ともなっていた。そのようにして垂れる水の中には、方立ぎわ領域のガラス表面に付着していた汚れの粒子も含まれているため、乾燥後のガラス表面に水ダレの跡が残ることも多かった。
同様に、台車機構１９を無目５に沿って横方向に移動させながら洗浄する場合には、無目５の上下の一定幅のガラス表面領域が拭けない部分として汚れたまま残る結果となる。
【発明の開示】
【発明が解決しようとする課題】
【０００７】
本発明は、上記の問題点を解決するためなされたものであり、その目的とするところは、窓ガラスの表面を、方立ぎわ（又は無目ぎわ）まで確実にクリーニングできると共に、水ダレも防止し得るように構成した窓ガラス外面洗浄装置を提供することにある。
【課題を解決するための手段】
【０００８】
上記の目的は、
ビルの外面に対向するよう設置される窓ガラス外面洗浄装置であって、
洗浄すべき窓ガラスの外面に対向するよう、方立（無目）と略平行に配置される案内レールユニットと、
駆動モータにより上記案内レールユニットに沿って上下方向（水平方向）に移動せしめられる少なくとも１機の台車機構と、
窓ガラスの表面に向けて洗浄液を噴射する複数のスプレーノズルを備えた洗浄液ラインと、
上記台車機構上に設けられるワイパーホルダであって、窓ガラスの表面を払拭するワイパーブレードを有するワイパーホルダと、
を備えた窓ガラス外面洗浄装置において；
上記ワイパーホルダを、窓ガラスの表面に対して略直角方向に変位可能なよう上記台車機構上に取り付け、
ワイパーホルダに直接的又は間接的に軸支されるガイドローラであって、方立（無目）に設けたガイドレールの外面上を上記台車機構の上下移動（水平移動）に伴って回転走行せしめられるガイドローラを設けると共に、
ワイパーブレードの幅を、方立（無目）の側辺近くまで達する充分な幅とし、更に、
ワイパーブレードが無目（方立）を乗り越し得るようにするため、ガイドローラの軌道上で無目（方立）に対応する位置に、無目（方立）の断面に適合する断面形状を有するリフティングブロックを設け、ガイドローラがリフティングブロック上を乗り越える際に、当該ガイドローラが窓ガラスから開離する方向へ移動するのに追従して、ワイパーホルダも窓ガラスから開離する方向へ変位し、これにより、ワイパーブレードの先端が無目（方立）の表面に接触しつつ無目（方立）を乗り越すよう構成したこと、
を特徴とするビルの窓ガラス外面洗浄装置によって達成し得る。
なお、上記記載において、かっこ書き内の記載は、台車機構を無目に沿って水平方向に移動させながら洗浄する場合の構成を示している。
【発明の効果】
【０００９】
上記の如き構成であると、ガイドローラは、従来のように窓ガラスの外面上を回転走行するのではなく、方立（又は無目）に設けたガイドレールの上を回転走行するので、ワイパーブレードを方立（又は無目）の側辺に極めて近い位置まで延ばして取り付けることができ、これによって、窓ガラスの表面を方立ぎわ（又は無目ぎわ）まで確実に洗浄できると共に、方立ぎわ（又は無目ぎわ）での水ダレも効果的に防止できるものである。
また、ガイドローラの軌道上で無目（又は方立）に対応する位置に、無目（又は方立）の断面に適合する断面形状を有するリフティングブロックを設けてあり、ガイドローラが上下移動（又は水平移動）するとき当該リフティングブロックを乗り越える際に、ガイドローラが窓ガラスから開離する方向へ持ち上げられるため、これに追従して、ワイパーホルダも窓ガラスから開離する方向へ変位し、これにより、ワイパーブレードの先端が無目（又は方立）の表面に接触しつつ無目（又は方立）を乗り越すことができるので、ワイパーブレードが上下移動（水平移動）するときに、無目（又は方立）が障害となることがなく、円滑な洗浄動作が確保される。
【発明を実施するための最良の形態】
【００１０】
以下、図面に示す実施例を参照しつつ、本発明を実施するための最良の形態について説明する。
【実施例】
【００１１】
図１は、本発明に係るビルの窓ガラス外面洗浄装置のワイパーブレード及びガイドローラの配置の一実施例とその作用を説明するための横断面図（図３中のＩ−Ｉ線位置における断面図）、図２は、図1に示した窓ガラス外面洗浄装置のワイパーブレードが無目を乗り越える際のリフティングブロックとガイドローラの作用を説明するための横断面図（図３中のII−II線位置における断面図）、図３は、ワイパーブレードが無目を乗り越える際のリフティングブロックとガイドローラの作用を説明するための縦断面図である。
図1〜図３には、台車機構を上下方向に移動させながら洗浄する場合において、方立ぎわまで確実に洗浄するための実施例が示されている。
なお、本発明は、ワイパーブレード及びガイドローラの配置と、ワイパーブレードが無目（又は方立）を乗り越えるための構成に特徴を有するものであり、その他の全体的な構成については、図４で説明した特許文献１に記載の洗浄装置のそれを採用できる。
図１〜図3中、２は窓ガラス、４は方立、４１は方立の側壁、４２は方立に設けたガイドレール、４３は方立の側壁に取り付けたリフティングブロック、５は無目、１２はワイパーハウジング、１４はワイパーブレード、１５はワイパーホルダ、１７は押出しバネ、１９は台車機構、５６はガイドローラである。
【００１２】
本発明では、図１に示す如く、ガイドローラ５６の配置と、ワイパーブレード１４の幅が、前記図４に示した従来のものと全く異なっている。
即ち、ガイドローラ５６は窓ガラス２の表面上を回転移動するのではなく、方立４に設けたガイドレール４２上を回転移動するように構成されている。そのため、ワイパーブレード１４の幅を、方立４の側辺の間近まで延びるよう充分に幅広いに設定することができる。そのため、図４に示した従来装置のように方立ぎわに幅Ｗの洗浄不可能部分が生じることがなく、方立ぎわまで完全にクリーニングすることができる。従ってまた、方立ぎわのガラス表面領域に水が残ることもなく、水ダレを確実に防止できる。
【００１３】
本発明の上記の如き構成を採用することにより、方立ぎわのガラス表面に未洗浄領域が残るという問題は解決する。然しながら、ワイパーブレード１４が上下方向に移動しながら窓ガラス表面を払拭する際、無目が障害となって、これを乗り越えることができないという新たな問題が生じる。
即ち、従来のようにガイドローラ５６が窓ガラスの表面上を回転移動する場合には、無目の部分ではガイドローラ５６が無目を乗り越えて移動し、そのときガイドローラが無目に乗り上げる際には、ガイドローラを保持するワイパーホルダもガイドローラに追従して持ち上がり、従って、ワイパーブレードも持ち上げられて、ワイパーブレードの先端は無目の表面を払拭しながら無目を乗り越えて先へ進むことができる。
然しながら、本発明において、ガイドローラ５６を方立４に設けたガイドレール４２上を回転移動させるように構成した場合、方立４が無目５と交差する箇所では、ガイドレール５６が中断することになるので、ガイドローラ５６もワイパーブレード１４も、無目を円滑に乗り越えて先へ進行することができないという問題を生じる。
【００１４】
この問題を解決するため、本発明においては、ガイドローラ５６の軌道上で無目に対応する位置に、無目の断面に適合する断面形状を有するリフティングブロック４３（図２及び図３参照）を設け、ガイドローラ５６がリフティングブロック４３上を乗り越える際に、当該ガイドローラ５６が窓ガラス２から開離する方向へ移動するのに追従して、ワイパーホルダ１５も窓ガラスから開離する方向へ変位し、これにより、ワイパーブレード１４の先端が無目５の表面に接触しつつ無目５を乗り越し得るように構成してある。
この構成について、主に図３を参照しながら具体的に説明する。
【００１５】
図３に示すように、ワイパーブレード１４はワイパーホルダ１５の先端面から窓ガラス２へ向けて突出するよう取り付けられている。当該ワイパーホルダ１５は、台車機構１９（図３では省略）に備えられたワイパーハウジング１２内に収容されている。ワイパーハウジング１２内には押出しバネ１７が備えられ、ワイパーホルダ１５を外側へ向けて押し出す力を作用させるようになっている。換言すれば、ワイパーホルダ１５は、押出しバネ１７により付勢された状態で、窓ガラス２の表面に対して略直角方向に変位可能なように台車機構１９上に取り付けられている。
ガイドローラ５６は、上記ワイパーホルダ１５に回転可能なよう軸支されている。そのため、例えば、ガイドローラ５６が窓ガラス２から離れる方向へ移動すると、これに追従してワイパーホルダ１５及びワイパーブレード１４も、押出しバネ１７の押出し力に抗して窓ガラス２から離れる方向へ変位するようになっている。
【００１６】
方立４が無目５と交差する箇所では、図３に示すように、方立４に一体的に設けたガイドレール４２が途絶えるが、この箇所には、方立４の側壁４１上に、無目５の断面外形に適合する断面形状を有するリフティングブロック４３が取り付けられている。
そのため、図３に示す如く、外車機構が下から上へ移動してきて、ガイドローラ５６が、ガイドレール４２が途絶える箇所に到ったときには、ガイドローラ５６はガイドレール４２からリフティングブロック４３へと乗り換え、これを乗り越える形で連続して上方向へ回転移動し、続けて、上方のガイドレール上へ移行して上昇する。このようにガイドローラ５６がリフティングブロック４３上を乗り越える際に、ガイドローラ５６が窓ガラス２から開離する方向へ移動すると、上述の如く、ワイパーホルダ１５もこれに追随して窓ガラスから開離する方向へ変位し、これにより、ワイパーブレード１４の先端は無目５の表面に接触しつつ無目５を乗り越して進行を続けるものである。
これによって、本発明において、ガイドローラ５６が方立４のガイドレール４２上を回転移動するように構成した場合に、方立４と無目５とが交差する箇所で、ガイドローラ５６及びワイパーブレード１４の進行が阻害されるという前記の問題点が解消されるものである。
【００１７】
なお、本発明は上記の実施例に限定されるものではない。
即ち、前記の如く、本発明は、台車機構を横方向に移動させながら洗浄する場合にも適用可能であり、その場合には、上記説明において「方立」は「無目」と、「無目」は「方立」と、「上下」は「左右」と、「縦」は「横」と、「横」は「縦」と、等々に読み替えるものである。
また、図示した例においては、無目５の断面外形が台形状（角状）のものについて説明したが、断面外形が円弧状の無目の場合には、断面外形が円弧状のリフティングブロックを用いるものである。
また、図示した例において、リフティングブロック４３としては厚手のブロック状のものを用いたが、これは薄手のプレート状のものを、無目の外形に適合する形状に曲げたものであってもよく、本発明でいうリフティングブロックはそのような形態のものをも包含するものである。
以上の如く、本発明は、その目的の範囲内において、上記の説明から当業者が容易に想到し得るすべての変更実施例を包摂するものである。
【産業上の利用可能性】
【００１８】
本発明は上記の如く構成されるから、本発明によるときは、窓ガラスの表面を、方立ぎわ（又は無目ぎわ）まで確実にクリーニングできると共に、水ダレも防止し得る窓ガラス外面洗浄装置を提供し得るものである。
【図面の簡単な説明】
【００１９】
【図１】本発明に係るビルの窓ガラス外面洗浄装置のワイパーブレード及びガイドローラの配置の一実施例とその作用を説明するための横断面図（図３中のＩ−Ｉ線位置における断面図）である。
【図２】図1に示した窓ガラス外面洗浄装置のワイパーブレードが無目を乗り越える際のリフティングブロックとガイドローラの作用を説明するための横断面図（図３中のII−II線位置における断面図）である。
【図３】ワイパーブレードが無目を乗り越える際のリフティングブロックとガイドローラの作用を説明するための縦断面図である。
【図４】窓ガラス外面洗浄装置の全体構成を示す説明図である。
【図５】従来公知の窓ガラス外面洗浄装置のワイパーブレード及びガイドローラの配置を示す横断面図である。
【符号の説明】
【００２０】
１      ビル
２      窓ガラス
３      ビルの外面
４      方立
４１    方立の側壁
４２    ガイドレール
４３    リフティングブロック
５      無目
６      案内レールユニット
１０    ワイパーユニット
１２    ワイパーハウジング
１４    ワイパーブレード
１５    ワイパーホルダ
１７    押出しバネ
１９    台車機構
３１    スプレーノズル
４４ａ，４４ｂ    スプロケット
４５    駆動モータ
４６    洗浄液ライン
４７    バルブ
５６    ガイドローラ
【図１】
2005318906.tif 000003
【図２】
2005318906.tif 000004
【図３】
2005318906.tif 000005
【図４】
2005318906.tif 000006
【図５】
2005318906.tif 000007
【手続補正書】
【提出日】平成16年8月18日(2004.8.18)
【手続補正１】
【補正対象書類名】図面
【補正対象項目名】図５
【補正方法】変更
【補正の内容】
【図５】
2005318906.tif 000008